(57)【要約】【課題】ドライ条件とウエット条件との間でのバックスピン量の差が均等化されたゴルフクラブセットの提供。【解決手段】溝深さＤ１が、リアルロフト角Ｌ１の小さいクラブから順にＤ１（１）、Ｄ１（２）、・・・、Ｄ１（ｎ）とされ、これらのクラブの３０°測定法による溝幅Ｗ１が、リアルロフト角Ｌ１の小さいクラブから順にＷ１（１）、Ｗ１（２）、・・・、Ｗ１（ｎ）とされるとき、Ｄ１（１）≦Ｄ１（２）≦・・・≦Ｄ１（ｎ）且つＤ１（１）＜Ｄ１（ｎ）を満たしている。隣接する番手間における溝深さＤ１の比［Ｄ１（ｍ）／Ｄ１（ｍ−１）］が１．０以上３．０以下である。また、Ｗ１（１）≦Ｗ１（２）≦・・・≦Ｗ１（ｎ）を満たしている。隣接する番手間における溝幅Ｗ１の比［Ｗ１（ｍ）／Ｗ１（ｍ−１）］が１．０以上３．０以下である。【選択図】図１
2011092468.tif 000002
【特許請求の範囲】
【請求項１】
ｎ本（ｎは３以上の整数）のゴルフクラブを含んでおり、
これらのクラブのフェースラインの溝深さＤ１が、リアルロフト角Ｌ１の小さいクラブから順にＤ１（１）、Ｄ１（２）、・・・、Ｄ１（ｎ）とされ、
これらのクラブのフェースラインの３０°測定法による溝幅Ｗ１が、リアルロフト角Ｌ１の小さいクラブから順にＷ１（１）、Ｗ１（２）、・・・、Ｗ１（ｎ）とされるとき、
Ｄ１（１）≦Ｄ１（２）≦・・・≦Ｄ１（ｎ）且つＤ１（１）＜Ｄ１（ｎ）を満たしており、
全てのクラブの溝深さＤ１が０．０（ｍｍ）以上０．５０８（ｍｍ）以下であり、
全てのクラブにおいて、隣接する番手間における溝深さＤ１の比［Ｄ１（ｍ）／Ｄ１（ｍ−１）］が１．０以上３．０以下であり、
Ｗ１（１）≦Ｗ１（２）≦・・・≦Ｗ１（ｎ）を満たしており、
全てのクラブの溝幅Ｗ１が０．０（ｍｍ）以上０．８８９（ｍｍ）以下であり、
全てのクラブにおいて、隣接する番手間における溝幅Ｗ１の比［Ｗ１（ｍ）／Ｗ１（ｍ−１）］が１．０以上３．０以下であるゴルフクラブセット。
【請求項２】
Ｗ１（１）＜Ｗ１（ｎ）を満たしている請求項１に記載のゴルフクラブセット。
【請求項３】
溝底幅Ｗ２が、リアルロフト角Ｌ１の小さいクラブから順にＷ２（１）、Ｗ２（２）、・・・、Ｗ２（ｎ）とされるとき、
Ｗ２（１）≦Ｗ２（２）≦・・・≦Ｗ２（ｎ）且つＷ２（１）＜Ｗ２（ｎ）であり、
全てのクラブの溝幅Ｗ２が０．０（ｍｍ）以上１．０（ｍｍ）以下であり、
全てのクラブにおいて、隣接する番手間における溝底幅Ｗ２の比［Ｗ２（ｍ）／Ｗ２（ｍ−１）］が１．０以上３．０以下である請求項１又は２に記載のゴルフクラブセット。
【請求項４】
比［Ｄ１（ｎ）／Ｄ１（１）］が１．２以上であり、比［Ｗ１（ｎ）／Ｗ１（１）］が１．１以上である請求項１から３のいずれかに記載のゴルフクラブセット。
【請求項５】
リアルロフト角Ｌ１が４０°以下であるゴルフクラブと、リアルロフト角Ｌ１が４０°を超えるゴルフクラブとを含む請求項１から４のいずれかに記載のゴルフクラブセット。
【請求項６】
リアルロフト角Ｌ１が５０°以上であるゴルフクラブを含む請求項１から５のいずれかに記載のゴルフクラブセット。
【請求項７】
ｎ本（ｎは３以上の整数）のゴルフクラブを含んでおり、
これらのクラブのフェースラインの溝深さＤ１が、リアルロフト角Ｌ１の小さいクラブから順にＤ１（１）、Ｄ１（２）、・・・、Ｄ１（ｎ）とされ、
これらのクラブのフェースラインの３０°測定法による溝幅Ｗ１が、リアルロフト角Ｌ１の小さいクラブから順にＷ１（１）、Ｗ１（２）、・・・、Ｗ１（ｎ）とされるとき、
Ｄ１（１）≦Ｄ１（２）≦・・・≦Ｄ１（ｎ）を満たしており、
全てのクラブの溝深さＤ１が０．０（ｍｍ）以上０．５０８（ｍｍ）以下であり、
全てのクラブにおいて、隣接する番手間における溝深さＤ１の比［Ｄ１（ｍ）／Ｄ１（ｍ−１）］が１．０以上３．０以下であり、
Ｗ１（１）≦Ｗ１（２）≦・・・≦Ｗ１（ｎ）且つＷ１（１）＜Ｗ１（ｎ）を満たしており、
全てのクラブの溝幅Ｗ１が０．０（ｍｍ）以上０．８８９（ｍｍ）以下であり、
全てのクラブにおいて、隣接する番手間における溝幅Ｗ１の比［Ｗ１（ｍ）／Ｗ１（ｍ−１）］が１．０以上３．０以下であるゴルフクラブセット。
【発明の詳細な説明】
【技術分野】
【０００１】
本発明は、複数本のゴルフクラブを有するゴルフクラブセットに関する。
【背景技術】
【０００２】
ゴルフクラブセットが市販されている。アイアン型クラブのセット、ウッド型クラブのセット、ユーティリティ型クラブとアイアン型クラブとが混在するセット、ウッド型クラブとアイアン型クラブとが混在するセットなどが知られている。通常、ゴルフクラブセットは、リアルロフト角、ライ角又は長さの異なる複数のクラブを含む。
【０００３】
ゴルフクラブヘッドには、フェースラインやフェースマーキングが設けられる。特に、アイアン型クラブには、通常、フェースラインが設けられる。このフェースラインは、バックスピン量の増大に寄与する。
【０００４】
特許第３４６３７７９号公報は、ロングアイアン群の溝面積比率と、ミドルアイアン群及びショートアイアン群の溝面積比率とを相違させたアイアンゴルフクラブセットを開示する。
【先行技術文献】
【特許文献】
【０００５】
【特許文献１】特許第３４６３７７９号公報
【発明の概要】
【発明が解決しようとする課題】
【０００６】
本発明者は、従来技術とは異なる観点から、ゴルフクラブセットにおけるフェースラインの最適化について検討した。その結果、ゴルフクラブセットにおいて従来とは異質な効果を奏しうるフェースラインの仕様を発明するに至った。
【０００７】
本発明の目的は、ドライ条件とウエット条件との間でのバックスピン量の差異が、番手間で均等化されうるゴルフクラブセットの提供にある。
【課題を解決するための手段】
【０００８】
本発明のゴルフクラブセットは、ｎ本（ｎは３以上の整数）のゴルフクラブを含んでいる。これらのクラブのフェースラインの溝深さＤ１が、リアルロフト角Ｌ１の小さいクラブから順にＤ１（１）、Ｄ１（２）、・・・、Ｄ１（ｎ）とされ、これらのクラブのフェースラインの３０°測定法による溝幅Ｗ１が、リアルロフト角Ｌ１の小さいクラブから順にＷ１（１）、Ｗ１（２）、・・・、Ｗ１（ｎ）とされるとき、このゴルフクラブセットは、Ｄ１（１）≦Ｄ１（２）≦・・・≦Ｄ１（ｎ）且つＤ１（１）＜Ｄ１（ｎ）を満たしている。全てのクラブの溝深さＤ１が０．０（ｍｍ）以上０．５０８（ｍｍ）以下である。全てのクラブにおいて、隣接する番手間における溝深さＤ１の比［Ｄ１（ｍ）／Ｄ１（ｍ−１）］が１．０以上３．０以下である。このゴルフクラブセットは、 Ｗ１（１）≦Ｗ１（２）≦・・・≦Ｗ１（ｎ）を満たしている。全てのクラブの溝幅Ｗ１が０．０（ｍｍ）以上０．８８９（ｍｍ）以下である。全てのクラブにおいて、隣接する番手間における溝幅Ｗ１の比［Ｗ１（ｍ）／Ｗ１（ｍ−１）］が１．０以上３．０以下である。好ましくは、更に、Ｗ１（１）＜Ｗ１（ｎ）が満たされる。
【０００９】
本発明の他のゴルフクラブセットは、ｎ本（ｎは３以上の整数）のゴルフクラブを含んでいる。これらのクラブのフェースラインの溝深さＤ１が、リアルロフト角Ｌ１の小さいクラブから順にＤ１（１）、Ｄ１（２）、・・・、Ｄ１（ｎ）とされ、これらのクラブのフェースラインの３０°測定法による溝幅Ｗ１が、リアルロフト角Ｌ１の小さいクラブから順にＷ１（１）、Ｗ１（２）、・・・、Ｗ１（ｎ）とされるとき、このゴルフクラブセットは、Ｄ１（１）≦Ｄ１（２）≦・・・≦Ｄ１（ｎ）を満たしている。全てのクラブの溝深さＤ１が０．０（ｍｍ）以上０．５０８（ｍｍ）以下である。全てのクラブにおいて、隣接する番手間における溝深さＤ１の比［Ｄ１（ｍ）／Ｄ１（ｍ−１）］が１．０以上３．０以下である。このゴルフクラブセットは、 Ｗ１（１）≦Ｗ１（２）≦・・・≦Ｗ１（ｎ）且つＷ１（１）＜Ｗ１（ｎ）を満たしている。全てのクラブの溝幅Ｗ１が０．０（ｍｍ）以上０．８８９（ｍｍ）以下である。全てのクラブにおいて、隣接する番手間における溝幅Ｗ１の比［Ｗ１（ｍ）／Ｗ１（ｍ−１）］が１．０以上３．０以下である。好ましくは、更に、Ｄ１（１）＜Ｄ１（ｎ）が満たされる。
【００１０】
溝底幅Ｗ２が、リアルロフト角Ｌ１の小さいクラブから順にＷ２（１）、Ｗ２（２）、・・・、Ｗ２（ｎ）とされるとき、このゴルフクラブセットは、好ましくは、 Ｗ２（１）≦Ｗ２（２）≦・・・≦Ｗ２（ｎ）且つＷ２（１）＜Ｗ２（ｎ）を満たす。好ましくは、全てのクラブの溝幅Ｗ２が０．０（ｍｍ）以上１．０（ｍｍ）以下である。好ましくは、全てのクラブにおいて、隣接する番手間における溝底幅Ｗ２の比［Ｗ２（ｍ）／Ｗ２（ｍ−１）］が１．０以上３．０以下である。
【００１１】
好ましくは、比［Ｄ１（ｎ）／Ｄ１（１）］が１．２以上である。好ましくは、比［Ｗ１（ｎ）／Ｗ１（１）］が１．１以上である
【００１２】
好ましくは、上記ゴルフクラブセットは、リアルロフト角Ｌ１が４０°以下であるゴルフクラブと、リアルロフト角Ｌ１が４０°を超えるゴルフクラブとを含む。
【００１３】
好ましくは、上記ゴルフクラブセットは、リアルロフト角Ｌ１が５０°以上であるゴルフクラブを含む。
【発明の効果】
【００１４】
フェースラインの仕様を番手間で異ならせることにより、ドライ条件とウエット条件との間でのバックスピン量の差異が、番手間で均等化されうる。
【図面の簡単な説明】
【００１５】
【図１】図１は、本発明の一実施形態に係るゴルフクラブセットを示す図である。
【図２】図２は、図１のセットに含まれる一のクラブのヘッドを、フェース側からみた図である。
【図３】図３は、図２のIII−III線に沿った断面図である。
【図４】図４は、図３の断面線が拡大された図である。
【図５】図５は、図１のセットに含まれる他のクラブのヘッドを、フェース側からみた図である。
【図６】図６は、図５のVI−VI線に沿った断面図である。
【図７】図７は、図６の断面線が拡大された図である。
【図８】図８は、比較例１のバックスピン量の測定結果を示すグラフである。
【図９】図９は、実施例１のバックスピン量の測定結果を示すグラフである。
【図１０】図１０は、実施例２のバックスピン量の測定結果を示すグラフである。
【発明を実施するための形態】
【００１６】
以下、適宜図面が参照されつつ、好ましい実施形態に基づいて本発明が詳細に説明される。
【００１７】
図１は、本発明の一実施形態に係るゴルフクラブセット２を示す図である。ゴルフクラブセット２は、アイアン型のゴルフクラブのセットである。アイアン型ゴルフクラブのリアルロフト角Ｌ１は、通常、１５度以上７０度以下の範囲にある。
【００１８】
ゴルフクラブセット２は、リアルロフト角Ｌ１の相違する複数本のゴルフクラブ４を含む。ゴルフクラブセット２は、８本のゴルフクラブ４を有する。ゴルフクラブセット２のクラブ本数は、３本以上が好ましい。
【００１９】
ゴルフクラブ４は、シャフトｓｆ、ヘッドｈｄ及びグリップｇｐを有する。シャフトｓｆの先端部に、ヘッドｈｄが取り付けられている。シャフトｓｆの後端部に、グリップｇｐが取り付けられている。
【００２０】
８本のゴルフクラブ４は、リアルロフト角Ｌ１の小さい順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほど、ヘッドｈｄのリアルロフト角Ｌ１が小さい。
【００２１】
第一のゴルフクラブｃ１は、シャフトｓｆ１、ヘッドｈｄ１及びグリップｇｐを有する。第二のゴルフクラブｃ２は、シャフトｓｆ２、ヘッドｈｄ２及びグリップｇｐを有する。第三のゴルフクラブｃ３は、シャフトｓｆ３、ヘッドｈｄ３及びグリップｇｐを有する。第四のゴルフクラブｃ４は、シャフトｓｆ４、ヘッドｈｄ４及びグリップｇｐを有する。第五のゴルフクラブｃ５は、シャフトｓｆ５、ヘッドｈｄ５及びグリップｇｐを有する。第六のゴルフクラブｃ６は、シャフトｓｆ６、ヘッドｈｄ６及びグリップｇｐを有する。第七のゴルフクラブｃ７は、シャフトｓｆ７、ヘッドｈｄ７及びグリップｇｐを有する。第八のゴルフクラブｃ８は、シャフトｓｆ８、ヘッドｈｄ８及びグリップｇｐを有する。
【００２２】
ゴルフクラブセット２を構成するゴルフクラブ４は、クラブ長さが相違する。クラブ長さの長い順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほどクラブ長さが大きい。クラブ長さは、主としてシャフトｓｆの長さによって調整されている。長さが同じゴルフクラブｃが含まれていてもよい。
【００２３】
図示されないが、ゴルフクラブセット２を構成するゴルフクラブ４は、ライ角が相違する。ライ角の小さい順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほどライ角が小さい。ライ角が同じゴルフクラブｃが含まれていてもよい。
【００２４】
図１の実施形態では、第一のゴルフクラブｃ１は４番アイアンであり、第二のゴルフクラブｃ２は５番アイアンであり、第三のゴルフクラブｃ３は６番アイアンであり、第四のゴルフクラブｃ４は７番アイアンであり、第五のゴルフクラブｃ５は８番アイアンであり、第六のゴルフクラブｃ６は９番アイアンであり、第七のゴルフクラブｃ７はピッチングウエッジであり、第八のゴルフクラブｃ８はアプローチウエッジである。本発明では、ゴルフクラブセット２に含まれるゴルフクラブｃの番手は限定されない。
【００２５】
図２は、ゴルフクラブｃ２（５番アイアン）のヘッドｈｄ２をフェース側から見た図である。ヘッドｈｄ２は、フェース５と、ホーゼル６と、ソール７とを有する。フェース５には、フェースラインｇｖが設けられている。ゴルフクラブヘッドｈｄは、シャフトを装着するためのシャフト穴１０を有している。このシャフト穴１０は、ホーゼル６に設けられている。これらの構造は、他の番手のヘッドｈｄも同じである。
【００２６】
ヘッドｈｄ及びフェース５の材質は限定されない。フェース５は、金属であってもよいし、非金属であってもよい。この金属の例として、鉄、ステンレス鋼、マルエージング鋼、純チタン及びチタン合金が挙げられる。鉄の例として、軟鉄（炭素含有率が０．３ｗｔ％未満の低炭素鋼）が挙げられる。非金属の例として、ＣＦＲＰ（炭素繊維強化プラスチック）挙げられる。
【００２７】
ヘッドｈｄ２は、複数のフェースラインｇｖを有する。フェースラインｇｖは、溝である。本願において、フェースラインｇｖは、単に溝とも称される。
【００２８】
フェース５の一部には、表面粗さを調整する処理が施されている。この処理の典型例は、ショットブラスト処理である。図２には、ショットブラスト処理がなされているエリアと、ショットブラスト処理がなされていないエリアとの境界線ｋ１が示されている。トウ側の境界線ｋ１ｔと、ヒール側の境界線ｋ１ｈとの間のエリアに、ショットブラスト処理が施されている。ショットブラスト処理がなされたエリアに、全てのフェースラインｇｖが設けられている。トウ側の境界線ｋ１ｔよりもトウ側のエリアには、ショットブラスト処理が施されていない。ヒール側の境界線ｋ１ｈよりもヒール側のエリアには、ショットブラスト処理が施されていない。このショットブラスト処理の有無によって、トウ側の境界線ｋ１ｔ及びヒール側の境界線ｋ１ｈが視認される。このショットブラスト処理により、表面粗さが大きくされている。この大きな表面粗さにより、ボールのバックスピン量が増加しうる。バックスピン量の増加により、落下点の近くでボールが停止しやすい。バックスピン量の増加により、狙った地点にボールを止めることが容易となりうる。特にこのバックスピン量の増加は、グリーンを狙うショット及びアプローチショットにおいて有益である。図２が示すように、境界線ｋ１ｔと境界線ｋ１ｈとは、実質的に平行である。
【００２９】
図３は、図２のIII−III線に沿った断面図である。図３では、１本のフェースラインｇｖ２の近傍のみが示されている。フェース５は、ランドエリアＬＡを有する。ランドエリアＬＡとは、フェース５の表面（フェース面）のうち、溝が形成されていない部分を指す。このランドエリアＬＡは、後述されるショットブラスト処理等による細かい凹凸を無視すれば、実質的に平面である。本願において、ランドエリアＬＡは平面であるとみなされる。
【００３０】
ゴルフクラブｃ１（４番アイアン）のフェースラインｇｖ１の断面形状は、フェースラインｇｖ２（５番アイアン）のそれと同じである。ゴルフクラブｃ３（６番アイアン）のフェースラインｇｖ３の断面形状は、フェースラインｇｖ２のそれと同じである。ゴルフクラブｃ４（７番アイアン）のフェースラインｇｖ４の断面形状は、フェースラインｇｖ２のそれと同じである。ゴルフクラブｃ５（８番アイアン）のフェースラインｇｖ５の断面形状は、フェースラインｇｖ２のそれと同じである。ゴルフクラブｃ６（９番アイアン）のフェースラインｇｖ６の断面形状は、フェースラインｇｖ２のそれと同じである。
【００３１】
図４は、図３の断面図のうち、フェースラインｇｖ２の表面の断面線を記載した拡大図である。図４は、フェースラインｇｖ２の左側半分の断面線を示している。この断面線は、中心線ｃｔ１について線対称である。フェースラインｇｖ２の断面形状の詳細については、後述される。
【００３２】
図５は、ゴルフクラブｃ７（ピッチングウエッジ）のヘッドｈｄ７をフェース側から見た図である。ヘッドｈｄ７は、フェース１４と、ホーゼル１６と、ソール１８とを有する。フェース１４には、フェースラインｇｖが設けられている。ヘッドｈｄ７は、シャフトを装着するためのシャフト穴２０を有している。このシャフト穴２０は、ホーゼル１６に設けられている。これらの構造は、他の番手のヘッドｈｄと同じである。
【００３３】
図６は、図５のVI−VI線に沿った断面図である。図６では、１本のフェースラインｇｖ７の近傍のみが示されている。フェース１４は、ランドエリアＬＡを有する。
【００３４】
図６は、ゴルフクラブｃ７（ピッチングウエッジ）のフェースラインｇｖ７の断面図である。ゴルフクラブｃ８（アプローチウエッジ）のフェースラインｇｖ８の断面形状は、フェースラインｇｖ７のそれと同じである。
【００３５】
図７は、図６の断面図のうち、フェースラインｇｖ７の表面の断面線を記載した拡大図である。図７は、フェースラインｇｖの左側半分の断面線を示している。この断面線は、中心線ｃｔ１について線対称である。フェースラインｇｖ７の断面形状の詳細については、後述される。
【００３６】
本願では、フェースラインの深さＤ１（ｍｍ）が定義される（図３及び図６参照）。以下、この深さＤ１は、溝深さＤ１とも称される。溝深さＤ１は、ランドエリアＬＡとフェースラインの底面ｂｆとの距離である。溝深さＤ１は、ランドエリアＬＡに対して垂直な方向に沿って測定される。
【００３７】
フェースラインｇｖの表面の断面線において、ランドエリアＬＡとフェースラインｇｖとの境界点がＰａとされる（図３及び図６参照）。フェースラインｇｖの表面の断面線において、フェースラインｇｖの側面と底面ｂｆとの交点がＰｂとされる（図４及び図７参照）。
【００３８】
図３及び図６において両矢印Ｗ１で示されているのは、３０度測定法で測定されたフェースライン幅（ｍｍ）である。 
【００３９】
「３０度測定法」とは、Ｒ＆Ａ（Ｒｏｙａｌ  ａｎｄ  Ａｎｃｉｅｎｔ  Ｇｏｌｆ  Ｃｌｕｂ  ｏｆ  Ｓａｉｎｔ  Ａｎｄｒｅｗｓ；全英ゴルフ協会）が定めるゴルフルールに記載の溝間隔の測定法を意味する。なお、本願における「溝容積」は、このＲ＆Ａが定めるゴルフルールに記載されている通りの意味である。
【００４０】
図３及び図６において両矢印Ｗ２で示されているのは、溝底幅（ｍｍ）である。溝底幅Ｗ２は、底面ｂｆの幅である。底面ｂｆは、平面である。
【００４１】
図３及び図６において両矢印Ｗ３で示されているのは、フェースラインの開口幅（ｍｍ）である。開口幅Ｗ３は、３０°測定法の溝幅ではなく、実際の溝幅である。幅Ｗ３は、上記点Ｐａ同士の距離である。  
【００４２】
本発明のゴルフクラブセットは、ｎ本（ｎは３以上の整数）のゴルフクラブを含んでいる。本実施形態においてｎは８である。
【００４３】
［各クラブの溝深さＤ１］
ゴルフクラブセット２を構成するゴルフクラブｃのフェースラインｇｖの溝深さＤ１が、リアルロフト角Ｌ１の小さいクラブから順にＤ１（１）、Ｄ１（２）、・・・、Ｄ１（ｎ）とされる。本実施形態では、４番アイアンの溝深さＤ１がＤ１（１）であり、５番アイアンの溝深さＤ１がＤ１（２）であり、６番アイアンの溝深さＤ１がＤ１（３）であり、７番アイアンの溝深さＤ１がＤ１（４）であり、８番アイアンの溝深さＤ１がＤ１（５）であり、９番アイアンの溝深さＤ１がＤ１（６）であり、ピッチングウエッジの溝深さＤ１がＤ１（７）であり、アプローチウエッジの溝深さＤ１がＤ１（８）である。
【００４４】
本実施形態と異なり、例えば、３番アイアンからサンドウエッジまでの１０本で構成されたゴルフクラブセットであれば、３番アイアンの溝深さＤ１がＤ１（１）であり、
４番アイアンの溝深さＤ１がＤ１（２）であり、５番アイアンの溝深さＤ１がＤ１（３）であり、６番アイアンの溝深さＤ１がＤ１（４）であり、７番アイアンの溝深さＤ１がＤ１（５）であり、８番アイアンの溝深さＤ１がＤ１（６）であり、９番アイアンの溝深さＤ１がＤ１（７）であり、ピッチングウエッジの溝深さＤ１がＤ１（８）であり、アプローチウエッジの溝深さＤ１がＤ１（９）であり、サンドウエッジの溝深さＤ１がＤ１（１０）である。
【００４５】
［各クラブの溝幅Ｗ１］
ゴルフクラブセット２を構成するゴルフクラブｃのフェースラインの３０°測定法による溝幅Ｗ１が、リアルロフト角Ｌ１の小さいクラブから順にＷ１（１）、Ｗ１（２）、・・・、Ｗ１（ｎ）とされる。本実施形態では、４番アイアンの溝幅Ｗ１がＷ１（１）であり、５番アイアンの溝幅Ｗ１がＷ１（２）であり、６番アイアンの溝幅Ｗ１がＷ１（３）であり、７番アイアンの溝幅Ｗ１がＷ１（４）であり、８番アイアンの溝幅Ｗ１がＷ１（５）であり、９番アイアンの溝幅Ｗ１がＷ１（６）であり、ピッチングウエッジの溝幅Ｗ１がＷ１（７）であり、アプローチウエッジの溝幅Ｗ１がＷ１（８）である。
【００４６】
［各クラブの溝底幅Ｗ２］
ゴルフクラブセット２を構成するゴルフクラブｃの溝底幅Ｗ２が、リアルロフト角Ｌ１の小さいクラブから順にＷ２（１）、Ｗ２（２）、・・・、Ｗ２（ｎ）とされる。本実施形態では、４番アイアンの溝底幅Ｗ２がＷ２（１）であり、５番アイアンの溝底幅Ｗ２がＷ２（２）であり、６番アイアンの溝底幅Ｗ２がＷ２（３）であり、７番アイアンの溝底幅Ｗ２がＷ２（４）であり、８番アイアンの溝底幅Ｗ２がＷ２（５）であり、９番アイアンの溝底幅Ｗ２がＷ２（６）であり、ピッチングウエッジの溝底幅Ｗ２がＷ２（７）であり、アプローチウエッジの溝底幅Ｗ２がＷ２（８）である。
【００４７】
［各クラブのリアルロフト角Ｌ１］
ゴルフクラブセット２を構成するゴルフクラブｃのリアルロフト角Ｌ１が、リアルロフト角Ｌ１の小さいクラブから順にＬ１（１）、Ｌ１（２）、・・・、Ｌ１（ｎ）とされる。本実施形態では、４番アイアンのリアルロフト角Ｌ１がＬ１（１）であり、５番アイアンのリアルロフト角Ｌ１がＬ１（２）であり、６番アイアンのリアルロフト角Ｌ１がＬ１（３）であり、７番アイアンのリアルロフト角Ｌ１がＬ１（４）であり、８番アイアンのリアルロフト角Ｌ１がＬ１（５）であり、９番アイアンのリアルロフト角Ｌ１がＬ１（６）であり、ピッチングウエッジのリアルロフト角Ｌ１がＬ１（７）であり、アプローチウエッジのリアルロフト角Ｌ１がＬ１（８）である。
【００４８】
ゴルフクラブセット２は、Ｄ１（１）≦Ｄ１（２）≦・・・≦Ｄ１（ｎ）且つＤ１（１）＜Ｄ１（ｎ）を満たしている。即ちゴルフクラブセット２は、Ｄ１（１）≦Ｄ１（２）≦Ｄ１（３）≦Ｄ１（４）≦Ｄ１（５）≦Ｄ１（６）≦Ｄ１（７）≦Ｄ１（８）を満たしており、且つ、Ｄ１（１）＜Ｄ１（８）を満たしている。具体的には、本実施形態は、次の式（１）を満たしている。
Ｄ１（１）＝Ｄ１（２）＝Ｄ１（３）＝Ｄ１（４）＝Ｄ１（５）＝Ｄ１（６）＜Ｄ１（７）＝Ｄ１（８）・・・（１）
【００４９】
上記式（１）の形態は、あくまでも一例である。不等号の位置及び数は限定されない。等号の位置及び数は、限定されない。 
【００５０】
本実施形態では、全てのクラブの溝深さＤ１が０．０（ｍｍ）以上０．５０８（ｍｍ）以下である。好ましくは、全てのクラブの溝深さＤ１が０．０（ｍｍ）を超えて０．５０８（ｍｍ）以下である。
【００５１】
ゴルフクラブセット２では、全てのクラブにおいて、隣接する番手間における溝深さＤ１の比［Ｄ１（ｍ）／Ｄ１（ｍ−１）］が１．０以上３．０以下である。即ち、［Ｄ１（２）／Ｄ１（１）］が１．０以上３．０以下であり、［Ｄ１（３）／Ｄ１（２）］が１．０以上３．０以下であり、［Ｄ１（４）／Ｄ１（３）］が１．０以上３．０以下であり、［Ｄ１（５）／Ｄ１（４）］が１．０以上３．０以下であり、［Ｄ１（６）／Ｄ１（５）］が１．０以上３．０以下であり、［Ｄ１（７）／Ｄ１（６）］が１．０以上３．０以下であり、そして、［Ｄ１（８）／Ｄ１（７）］が１．０以上３．０以下である。
【００５２】
ゴルフクラブセット２は、Ｗ１（１）≦Ｗ１（２）≦・・・≦Ｗ１（ｎ）且つＷ１（１）＜Ｗ１（ｎ）を満たしている。即ちゴルフクラブセット２は、Ｗ１（１）≦Ｗ１（２）≦Ｗ１（３）≦Ｗ１（４）≦Ｗ１（５）≦Ｗ１（６）≦Ｗ１（７）≦Ｗ１（８）を満たしており、且つ、Ｗ１（１）＜Ｗ１（８）を満たしている。具体的には、本実施形態は、次の式（２）を満たしている。
Ｗ１（１）＝Ｗ１（２）＝Ｗ１（３）＝Ｗ１（４）＝Ｗ１（５）＝Ｗ１（６）＜Ｗ１（７）＝Ｗ１（８）・・・（２）
【００５３】
上記式（２）の形態は、あくまでも一例である。不等号の位置及び数は限定されない。等号の位置及び数は、限定されない。
【００５４】
ゴルフクラブセット２では、全てのクラブの溝幅Ｗ１が０．０（ｍｍ）以上０．８８９（ｍｍ）以下である。好ましくは、全てのクラブの溝幅Ｗ１が０．０（ｍｍ）を超えて０．８８９（ｍｍ）以下である。
【００５５】
ゴルフクラブセット２では、全てのクラブにおいて、隣接する番手間における溝幅Ｗ１の比［Ｗ１（ｍ）／Ｗ１（ｍ−１）］が１．０以上３．０以下である。即ち、［Ｗ１（２）／Ｗ１（１）］が１．０以上３．０以下であり、［Ｗ１（３）／Ｗ１（２）］が１．０以上３．０以下であり、［Ｗ１（４）／Ｗ１（３）］が１．０以上３．０以下であり、［Ｗ１（５）／Ｗ１（４）］が１．０以上３．０以下であり、［Ｗ１（６）／Ｗ１（５）］が１．０以上３．０以下であり、［Ｗ１（７）／Ｗ１（６）］が１．０以上３．０以下であり、そして、［Ｗ１（８）／Ｗ１（７）］が１．０以上３．０以下である。
【００５６】
ゴルフクラブセット２は、 Ｗ２（１）≦Ｗ２（２）≦・・・≦Ｗ２（ｎ）を満たしている。ゴルフクラブセット２は、Ｗ２（１）＜Ｗ２（ｎ）を満たしている。
【００５７】
ゴルフクラブセット２では、全てのクラブの溝幅Ｗ２が０．０（ｍｍ）以上１．０（ｍｍ）以下である。好ましくは、全てのクラブの溝幅Ｗ２が０．０（ｍｍ）を超えて１．０（ｍｍ）以下である。
【００５８】
ゴルフクラブセット２では、全てのクラブにおいて、隣接する番手間における溝底幅Ｗ２の比［Ｗ２（ｍ）／Ｗ２（ｍ−１）］が１．０以上３．０以下である。
【００５９】
ゴルフクラブセット２では、比［Ｄ１（ｎ）／Ｄ１（１）］が１．２以上である。ゴルフクラブセット２では、比［Ｗ１（ｎ）／Ｗ１（１）］が１．１以上である。
【００６０】
ゴルフクラブセット２は、リアルロフト角Ｌ１が４０°以下であるゴルフクラブｃと、リアルロフト角Ｌ１が４０°を超えるゴルフクラブｃとを含む。ゴルフクラブセット２において、リアルロフト角Ｌ１が４０°以下であるゴルフクラブｃは、９番アイアン及び９番アイアンよりもリアルロフト角Ｌ１が小さいクラブ（４番アイアンから８番アイアンまで）である。リアルロフト角Ｌ１が４０°よりも小さい他のクラブとして、３番アイアン、２番アイアン、１番アイアン、ドライバー、３番ウッド、４番ウッド、５番ウッド、７番ウッド、９番ウッド、１１番ウッド、ユーティリティ型クラブ、ハイブリッド型クラブ等が例示される。ゴルフクラブセット２において、リアルロフト角Ｌ１が４０°を超えるゴルフクラブｃは、ピッチングウエッジ、及びピッチングウエッジよりもリアルロフト角Ｌ１が大きいクラブ（アプローチウエッジ）である。リアルロフト角Ｌ１が４０°を超える他のクラブとして、サンドウエッジ及びロブウエッジが例示される。
【００６１】
ゴルフクラブセット２は、リアルロフト角Ｌ１が５０°以上であるゴルフクラブを含む。 リアルロフト角Ｌ１が５０°以上のゴルフクラブｃは、アプローチウエッジである。リアルロフト角Ｌ１が５０°以上の他のクラブとして、サンドウエッジ及びロブウエッジが例示される。
【００６２】
ゴルフプレーにおいて、ドライ条件とウエット条件とが存在する。
【００６３】
ドライ条件は、ボールとクラブヘッドとの衝突時において、ボールとヘッドとの間に水滴（液体の水）が存在しない条件である。晴れた日において、ティーアップしてなされるショットやフェアウエイからのショットは、通常、ドライ条件である。
【００６４】
ウエット条件は、ボールとクラブヘッドとの衝突時において、ボールとヘッドとの間に水滴（液体の水）が存在する条件である。ウエット条件は、雨天時、雨天直後、芝生に朝露が付着している場合等に生じうる。また、ラフからのショットは、ボールとヘッドとの間に芝が存在するため、ウエット条件に近い。ラフからのショットで、いわゆる「フライヤー」が生じうる。このフライヤーは、通常のショットと比較して、バックスピン量が少ない。このフライヤーは、意図しない飛距離の増大、意図しない球筋、意図しないグリーン上での転がり等を生じうる。
【００６５】
ドライ条件とウエット条件とでバックスピン量の差異が大きい場合、ミスショットを招きやすい。ゴルファーは通常、ドライ条件をイメージしてクラブ選択を行う。ウエット条件によりバックスピンが大きく低下する場合、意図しない飛距離等に起因して、ミスショットが生じやすい。ドライ条件とウエット条件とで、バックスピン量の差異が少ないゴルフクラブが好ましい。
【００６６】
ドライ条件とウエット条件とのバックスピン量の差異が、以下において「Ｄ−Ｗ差」とも称される。本発明者は、Ｄ−Ｗ差が、番手によって相違することを見いだした。この相違は、後述される実施例でも示される。番手によってＤ−Ｗ差が相違する場合、プレーヤーがその相違を予測するのが難しいため、ミスショットの確率が更に大きくなる。
【００６７】
本発明は、Ｄ−Ｗ差を番手間で均等化しうる。この効果は、後述の実施例でも示される。
【００６８】
ドライ条件とウエット条件との比較では、ウエット条件のほうが、ドライ条件よりも、バックスピン量が少ないと考えられていた。しかし、実際には、ウエット条件が、ドライ条件よりも、バックスピン量が多い場合があることが判った。
【００６９】
リアルロフト角Ｌ１が比較的小さいゴルフクラブｃでは、ウエット条件のほうが、ドライ条件よりも、バックスピン量が大きいことが判った。一方、リアルロフト角Ｌ１が比較的大きいゴルフクラブｃでは、逆に、ドライ条件のほうが、ウエット条件よりも、バックスピン量が大きいことが分かった。この逆転現象は、リアルロフト角Ｌ１が４０°以上４５°以下付近の範囲において生じることが判った。
【００７０】
また、リアルロフト角Ｌ１が４０°を超える場合、リアルロフト角Ｌ１が増加するほど、Ｄ−Ｗ差が大きくなる傾向があることが判った。この傾向は、リアルロフト角Ｌ１が５０°以上の場合、更に顕在化しやすいことが判った。
【００７１】
これらの現象の詳細は不明であるが、ゴルフボールのリコイル（ねじり戻り）が関与していると推定することができる。リコイルは、バックスピン量を減少させることが知られている。
【００７２】
リアルロフト角Ｌ１が小さい番手では、打球時における圧縮変形量が大きいため、リコイルの影響が大きいと考えられる。ウエット条件によりボールとクラブとの間に若干の滑りが生じ、この滑りがリコイルの度合いを抑制すると考えられる。リコイルが抑制されることにより、ウエット条件においてバックスピン量が増加したと考えられる。
【００７３】
一方、リアルロフト角Ｌ１が大きい番手では、打球時における圧縮変形量が小さいため、リコイルの影響が少ないと考えられる。加えて、リアルロフト角Ｌ１が大きい番手では、ウエット条件によりボールとクラブとの間の滑りは大きい。この滑りが、クラブとボールとの摩擦力に起因するバックスピン量を減少させていると考えられる。
【００７４】
ウエット条件に起因する滑りは、クラブとボールとの摩擦力を低下させる一方で、リコイルを抑制しうる。リアルロフト角Ｌ１が小さい番手では、リコイルを抑制する効果が強いため、ウエット条件でのバックスピン量がドライ条件でのバックスピン量を上回ったと考えられる。これに対して、リアルロフト角Ｌ１が大きい番手では、クラブとボールとの摩擦力を低下させる影響がリコイル抑制の影響よりも大きいため、ドライ条件でのバックスピン量がウエット条件でのバックスピン量を上回ったと考えられる。
【００７５】
そして、ドライ条件とウエット条件との差異は、リアルロフト角Ｌ１が４０°以上、更には４３°以上、更には４５°以上、更には５０°以上の場合に拡大しやすいことが判明した。通常のフェースラインでは、リアルロフト角Ｌ１が小さいゴルフクラブｃでのＤ−Ｗ差よりも、リアルロフト角Ｌ１が大きいゴルフクラブｃでのＤ−Ｗ差が大きいことが分かった。
【００７６】
前述したようなフェースラインｇｖの仕様により、ゴルフクラブセット２内におけるＤ−Ｗ差が均等化されうる。前述したようになフェースラインｇｖの仕様により、リアルロフト角Ｌ１が小さいゴルフクラブｃでのＤ−Ｗ差と、リアルロフト角Ｌ１が大きいゴルフクラブｃでのＤ−Ｗ差とが、均等化されうる。この均等化により、番手ごとのＤ−Ｗ差のバラツキが減少し、ミスショットが抑制されうる。
【００７７】
本発明の効果は、リアルロフト角Ｌ１の相違が大きいほど顕在化しやすい。この観点から、クラブ本数ｎは、４以上が好ましく、５以上がより好ましく、６以上が更に好ましく、７以上が更に好ましく、８以上が更に好ましい。ゴルフルールでは、プレー中に使用可能はクラブ本数が制限されている。この観点から、クラブ本数ｎは、１２本以下が好ましく、１１本以下がより好ましく、１０本以下が更に好ましい。隣接する番手間のリアルロフト角Ｌ１の差［Ｌ１（ｍ）−Ｌ１（ｍ−１）］は、通常、２°以上６°以下である。
【００７８】
Ｄ１（１）≦Ｄ１（２）≦・・・≦Ｄ１（ｎ）且つＤ１（１）＜Ｄ１（ｎ）が満たされることにより、Ｄ−Ｗ差のバラツキが抑制される。前述したリアルロフト角Ｌ１とバックスピン量との関連性を考慮すると、リアルロフト角Ｌ１が４０°以下であるクラブの中で最もリアルロフト角Ｌ１が大きいクラブの溝深さＤ１がＤ１（Ｘ）とされ、リアルロフト角Ｌ１が５０°以上のクラブの中で最もリアルロフト角Ｌ１が小さいクラブの溝深さＤ１がＤ１（Ｙ）とされるとき、Ｄ１（Ｘ）＜Ｄ１（Ｙ）が満たされているのが好ましい。
【００７９】
セット内におけるＤ−Ｗ差のバラツキを抑制する観点から、全てのクラブにおいて、隣接する番手間における溝深さＤ１の比［Ｄ１（ｍ）／Ｄ１（ｍ−１）］が１．０以上とされるのが好ましい。隣接する番手間におけるＤ−Ｗ差の差異を抑制する観点から、全てのクラブにおいて、隣接する番手間における溝深さＤ１の比［Ｄ１（ｍ）／Ｄ１（ｍ−１）］は、３．０以下が好ましく、２．０以下がより好ましく、１．６以下が更に好ましい。
【００８０】
セット内におけるＤ−Ｗ差のバラツキを抑制する観点から、Ｗ１（１）≦Ｗ１（２）≦・・・≦Ｗ１（ｎ）且つＷ１（１）＜Ｗ１（ｎ）を満たしているのが好ましい。前述したリアルロフト角Ｌ１とバックスピン量との関連性を考慮すると、リアルロフト角Ｌ１が４０°以下であるクラブの中で最もリアルロフト角Ｌ１が大きいクラブの溝幅Ｗ１がＷ１（Ｘ）とされ、リアルロフト角Ｌ１が５０°以上のクラブの中で最もリアルロフト角Ｌ１が小さいクラブの溝幅Ｗ１がＷ１（Ｙ）とされるとき、Ｗ１（Ｘ）＜Ｗ１（Ｙ）が満たされているのが好ましい。
【００８１】
セット内におけるＤ−Ｗ差のバラツキを抑制する観点から、全てのクラブにおいて、隣接する番手間における溝幅Ｗ１の比［Ｗ１（ｍ）／Ｗ１（ｍ−１）］が１．０以上であるのが好ましい。隣接する番手間におけるＤ−Ｗ差の差異を抑制する観点から、全てのクラブにおいて、隣接する番手間における溝幅Ｗ１の比［Ｗ１（ｍ）／Ｗ１（ｍ−１）］は、３．０以下であるのが好ましく、２．０以下であるのがより好ましく、１．５以下であるのが更に好ましい。
【００８２】
セット内におけるＤ−Ｗ差のバラツキを抑制する観点から、Ｗ２（１）≦Ｗ２（２）≦・・・≦Ｗ２（ｎ）且つＷ２（１）＜Ｗ２（ｎ）が満たされるのが好ましい。
【００８３】
セット内におけるＤ−Ｗ差のバラツキを抑制する観点から、全てのクラブにおいて、隣接する番手間における溝底幅Ｗ２の比［Ｗ２（ｍ）／Ｗ２（ｍ−１）］が１．０以上であるのが好ましい。隣接する番手間におけるＤ−Ｗ差の差異を抑制する観点から、全てのクラブにおいて、隣接する番手間における溝底幅Ｗ２の比［Ｗ２（ｍ）／Ｗ２（ｍ−１）］が３．０以下であるのが好ましく、２．０以下がより好ましく、１．５以下が更に好ましい。
【００８４】
セット内におけるＤ−Ｗ差のバラツキを抑制する観点から、比［Ｄ１（ｎ）／Ｄ１（１）］は１．２以上であるのが好ましく、１．３以上がより好ましく、１．５以上が更に好ましい。ルール適合性の観点から、比［Ｄ１（ｎ）／Ｄ１（１）］は、４．０以下であるのが好ましい。
【００８５】
セット内におけるＤ−Ｗ差のバラツキを抑制する観点から、 比［Ｗ１（ｎ）／Ｗ１（１）］は１．１以上であるのが好ましく、１．２以上がより好ましく、１．３以上がより好ましく、１．５以上が更に好ましい。ルール適合性の観点から、比［Ｗ１（ｎ）／Ｗ１（１）］は、５．５以下であるのが好ましく、４．０以下であるのがより好ましい。
【００８６】
前述したリアルロフト角Ｌ１とバックスピン量との関連性を考慮すると、ゴルフクラブセットは、リアルロフト角Ｌ１が４０°以下であるゴルフクラブと、リアルロフト角Ｌ１が４０°を超えるゴルフクラブとを含むのが好ましい。この構成により、リアルロフト角Ｌ１が４０°以下であるゴルフクラブのＤ−Ｗ差と、リアルロフト角Ｌ１が４０°を超えるゴルフクラブのＤ−Ｗ差とを近づけることができる。
【００８７】
前述したリアルロフト角Ｌ１とバックスピン量との関連性を考慮すると、ゴルフクラブセットは、リアルロフト角Ｌ１が５０°以上であるゴルフクラブを含むのが好ましい。この構成により、リアルロフト角Ｌ１が５０°以上のゴルフクラブにおいて、Ｄ−Ｗ差を抑制することができる。
【００８８】
フェースラインのエッジの曲率半径Ｒ１が、リアルロフト角Ｌ１の小さいクラブから順にＲ１（１）、Ｒ１（２）、・・・、Ｒ１（ｎ）とされる。曲率半径Ｒ１は、全てのクラブにおいて一定であってもよい。曲率半径Ｒ１が一定とされた場合であっても、前述された溝深さＤ１又は溝幅Ｗ１の規定により、セット内におけるＤ−Ｗ差のバラツキを抑制は達成されうる。また、Ｒ１（１）≧Ｒ１（２）≧・・・≧Ｒ１（ｎ）且つＲ１（１）＞Ｒ１（ｎ）が満たされていてもよい。この規定は、上記溝深さＤ１や溝幅Ｗ１の規定と同主旨である。即ち、リアルロフト角Ｌ１が大きい場合において曲率半径Ｒ１を小さくし、Ｄ−Ｗ差の拡大を抑制する主旨である。
【００８９】
曲率半径Ｒ１は、一定であってもよいし、変化していてもよい。溝加工の容易性の観点から、曲率半径Ｒ１は、一定であるのが好ましい。
【００９０】
ルール適合性の観点から、曲率半径Ｒ１は、０．１０（ｍｍ）以上が好ましく、０．２０（ｍｍ）以上がより好ましく、０．２５（ｍｍ）以上がより好ましい。エッジに起因するスピン性能の観点から、曲率半径Ｒ１は、０．５０（ｍｍ）以下が好ましく、０．４０（ｍｍ）以下がより好ましく、０．３０（ｍｍ）以下がより好ましい。これらの曲率半径Ｒ１の範囲は、全てのクラブで満たされているのが好ましい。
【００９１】
スピン性能の観点から、幅Ｗ１は、０．４（ｍｍ）以上が好ましく、０．５（ｍｍ）以上がより好ましい。ルール適合性の観点から、幅Ｗ１は、０．８８９（ｍｍ）以下が好ましく、０．８（ｍｍ）以下がより好ましい。これらの溝幅Ｗ１の数値範囲は、全てのクラブで満たされているのが好ましい。
【００９２】
溝容積に起因するスピン性能の観点から、幅Ｗ２は、０．２（ｍｍ）以上が好ましく、０．５（ｍｍ）以上がより好ましい。ルール適合性の観点から、幅Ｗ２は、０．７（ｍｍ）以下が好ましく、０．６（ｍｍ）以下がより好ましい。これらの幅Ｗ２の数値範囲は、全てのクラブで満たされているのが好ましい。
【００９３】
溝容積に起因するスピン性能の観点から、幅Ｗ３は、０．４（ｍｍ）以上が好ましく、０．５（ｍｍ）以上がより好ましい。ルール適合性の観点から、幅Ｗ３は、１．２０（ｍｍ）以下が好ましく、１．０（ｍｍ）以下がより好ましい。これらの幅Ｗ３の数値範囲は、全てのクラブで満たされているのが好ましい。
【００９４】
ルール適合性の観点から、比（Ｗ１／Ｗ２）は、１．４以上が好ましく、１．６以上がより好ましく、１．７以上がより好ましい。エッジに起因するスピン性能の観点から、比（Ｗ１／Ｗ２）は、３．０以下が好ましく、２．７以下がより好ましく、２．５以下がより好ましい。これらの比（Ｗ１／Ｗ２）の数値範囲は、全てのクラブで満たされているのが好ましい。
【００９５】
カッターの耐久性、ボールの傷つきの抑制等の観点から、全てのクラブにおいて、フェースラインの側面（点Ｐａから点Ｐｂまで）は、滑らかに連続しているのが好ましい。
【００９６】
ルール適合性の観点から、溝深さＤ１（ｍｍ）は、０．５０８（ｍｍ）以下とされるのが好ましく、０．４８０（ｍｍ）以下がより好ましく、０．４６０（ｍｍ）以下がより好ましい。溝容積に起因するスピン性能の観点から、溝深さＤ１は、０．１００（ｍｍ）以上が好ましく、０．２００（ｍｍ）以上がより好ましく、０．２５０（ｍｍ）以上がより好ましい。これらの溝深さＤ１の数値範囲は、全てのクラブで満たされているのが好ましい。
【００９７】
点Ｐａにおける接線とランドエリアＬＡとの成す角度θａは限定されない。ボールの傷つきを抑制する観点から、点ＰａとランドエリアＬＡとは、滑らかに近いのが好ましい。この観点から、角度θａは、２０度以下が好ましく、１０度以下が好ましく、５度以下がより好ましく、０度が最も好ましい。なお、点Ｐａにおける接線とは、点Ｐａと点Ｐｂとの間に位置する断面線上の点Ｐｘ（図示されない）を考え、更に、この点Ｐｘと点Ｐａとを結ぶ直線Ｌａｘ（図示されない）を考えた場合において、この点Ｐｘが上記断面線に沿って限りなく点Ｐａに近づくときに、上記直線Ｌａｘが限りなく近づく直線を意味する。図４及び図７の実施形態では、角度θａは０度である。これらの角度θａの数値範囲は、全てのクラブで満たされているのが好ましい。
【００９８】
溝間隔Ｓ１（隣り合った２本の溝の間のランドエリアＬＡの幅）は、ゴルフルールへの適合を考慮して設定されるのが好ましい。ルール適合性の観点から、溝間隔Ｓ１は、溝幅Ｗ１の３倍以上であるのが好ましい。
【００９９】
フェースラインｇｖの形成方法は、限定されない。フェースラインｇｖの形成方法として、鍛造、プレス加工、鋳造及び切削加工（彫刻）が例示される。
【０１００】
上記切削加工では、カッターを用いてフェースラインが切削加工される。一方、上記プレス加工では、フェースラインｇｖの形状に対応した凸部を有するフェースライン金型を用い、このフェースライン金型をフェースに押しつけて、フェースラインｇｖが形成される。なお、上記プレス加工におけるフェースライン金型は、当業者において、「フェースライン刻印」と称されることがある。
【０１０１】
鍛造の場合、金型費用が比較的安く、修正等のメインテナンスも容易である。一方、鍛造の場合、ヘッドのバック側を支持するための受け治具が必要であり、この受け治具には高い精度が要求される。また、鍛造時の熱処理において組織変化が発生しやすい。この組織変化は、強度低下の原因となりうる。
【０１０２】
上記鍛造の場合、上記フェースライン金型の費用が安く、修正等のメインテナンスも容易である。一方、プレス加工の場合、ヘッドのバック側を支持するための受け治具が必要であり、この受け治具には高い精度が要求される。
【０１０３】
鋳造の場合、ヘッドが鋳造されると同時にフェースラインｇｖも形成されるため、フェースラインｇｖを形成するための手間が少ない。ただし、鋳造時の湯流れに起因して、フェースラインｇｖに不良が生じる場合がある。
【０１０４】
フェースラインｇｖの断面形状の寸法精度の観点から、切削加工が最も好ましい。
【０１０５】
切削加工の場合、フェースラインｇｖのエッジが鋭くなりやすい。このエッジは、ボールを傷つけやすい。この観点から、切削加工の後にエッジを丸める加工が行われても良い。このエッジを丸める加工として、バフ及びショットブラストが例示される。このバフは、例えばワイヤーブラシによりなされる。切削加工の後にエッジを丸める加工が行われる場合、フェースラインｇｖの断面形状のバラツキが生じやすい。この観点からは、切削加工により、エッジが丸められるのが好ましい。即ち、上記曲率半径Ｒ１はカッターによって付与されるのが好ましい。
【０１０６】
生産性及び寸法精度の観点から、上記カッターによる一度の切削で、フェースラインｇｖが形成されるのが好ましい。
【０１０７】
図３及び図６に示されるように、フェースラインｇｖのエッジには、曲率半径Ｒ１の丸みが付与されるのが好ましい。
【実施例】
【０１０８】
以下、実施例によって本発明の効果が明らかにされるが、この実施例の記載に基づいて本発明が限定的に解釈されるべきではない。
【０１０９】
［実施例１］
フェースライン形成前のヘッドとして、商品名「ＸＸＩＯ５  アイアン」３番アイアンからサンドウエッジまでのヘッドが用いられた。これらのヘッドに、フェースラインが形成された。フェースラインの加工には、カッターを有するＮＣ加工機が用いられた。カッターを用いた切削加工によりフェースラインが形成された。カッターの材質は、タングステンカーバイド製とされた。カッターの断面形状は、フェースラインの断面形状と同一とされた。従って、一度の切削により、フェースラインが形成された。
【０１１０】
フェースラインの本数及び配置は、「ＸＸＩＯ５  アイアン」と同じとされた。
【０１１１】
フェースラインが形成された後のフェース面に、ショット仕上げが施された。このショット仕上げは、フェースラインの断面形状を実質的に変化させない。
【０１１２】
また、得られたヘッドにシャフト及びグリップを装着して、ゴルフクラブを得た。シャフトとして、日本シャフト社製の商品名「ＮＳ９５０  Ｒ」が用いられた。クラブ長さ及びスイングバランス（１４インチ方式）は、「ＸＸＩＯ５  アイアン」と同じとされた。
【０１１３】
［実施例２及び３、比較例１、２］
カッターの形状を変更することにより、フェースラインの断面形状が異なるヘッドを得た。下記の表に示される仕様の他は実施例１と同様にして、実施例２、実施例３，比較例１及び比較例２のヘッド及びクラブを得た。
【０１１４】
図７の実施形態の如く、フェースラインｇｖの側面に平面部ＰＬが存在する場合、溝角度θ１が定義される（図７参照）フェースラインｇｖの側面に平面部ＰＬが存在しない場合、角度θ１は存在しない。下記の表において角度θ１が記載されていないヘッドでは、フェースラインｇｖの側面が全て曲面とされた。
【０１１５】
実施例１の仕様が、以下の表１に示されている。実施例２の仕様が、以下の表２に示されている。実施例３の仕様が、以下の表３に示されている。比較例１の仕様が、以下の表４に示されている。比較例２の仕様が、以下の表５に示されている。
【０１１６】
【表１】
2011092468.tif 000003
【０１１７】
【表２】
2011092468.tif 000004
【０１１８】
【表３】
2011092468.tif 000005
【０１１９】
【表４】
2011092468.tif 000006
【０１２０】
【表５】
2011092468.tif 000007
【０１２１】
［バックスピン量の評価］
クラブをスイングロボットに装着し、スイートスポットＳＳで打球させて、バックスピン量を測定した。ヘッドスピードは次のように設定した。これらのヘッドスピードは、各クラブの使用において、頻度が高いヘッドスピードを想定したものである。
３番アイアン（＃３）      ：４１ｍ／ｓ
４番アイアン（＃４）      ：４０ｍ／ｓ
５番アイアン（＃５）      ：３８．５ｍ／ｓ
６番アイアン（＃６）      ：３７ｍ／ｓ
７番アイアン（＃７）      ：３６ｍ／ｓ
８番アイアン（＃８）      ：３５ｍ／ｓ
９番アイアン（＃９）      ：３３．５ｍ／ｓ
ピッチングウエッジ（ＰＷ）：３０ｍ／ｓ
アプローチウエッジ（ＡＷ）：２５ｍ／ｓ
サンドウエッジ（ＳＷ）    ：２１ｍ／ｓ
【０１２２】
バックスピン量の評価には、ウレタン系化合物を主成分とするカバーを備えたボールが用いられた。具体的には、カバーＳＲＩスポーツ社製の商品名「ＳＲＩＸＯＮ  Ｚ−ＳＴＡＲ」を用いた。
【０１２３】
ウエット条件でのバックスピン量と、ドライ条件でのバックスピン量とが測定された。ウエット条件の測定では、ボール全体を水に浸した後、スイングロボットのティーにセットして打球させた。ドライ条件の測定では、表面が乾いた状態のボールを打球させた。
【０１２４】
１０回の測定の平均値を評価値とした。このバックスピン量の測定結果が、グラフで示される。
【０１２５】
図８は、比較例１のグラフである。図９は、実施例１のグラフである。図１０は、実施例２のグラフである。
【０１２６】
これらのグラフで示されるように、比較例では、Ｄ−Ｗ差のバラツキが大きい。特に、比較例では、リアルロフト角Ｌ１の大きなクラブにおいてＤ−Ｗ差が大きい。比較例では、リアルロフト角Ｌ１の小さなクラブのＤ−Ｗ差と、リアルロフト角Ｌ１の大きなクラブでのＤ−Ｗ差との間で、差が大きい。実施例では、セット内におけるＤ−Ｗ差のバラツキが抑制されている。このように、実施例は、比較例に比べて評価が高い。この結果から、本発明の優位性は明らかである。
【産業上の利用可能性】
【０１２７】
本発明は、あらゆるゴルフクラブセットに適用されうる。
【符号の説明】
【０１２８】
２・・・ゴルフクラブセット
４・・・ゴルフクラブ
５、１４・・・フェース
６、１６・・・ホーゼル
７、１８・・・ソール
ｓｆ・・・シャフト
ｈｄ・・・ヘッド
ｇｖ・・・フェースライン
ｇｖ１〜ｇｖ８・・・フェースライン（番号が小さいほど、リアルロフト角が小さいクラブのフェースラインである。）
ｈｄ１〜ｈｄ８・・・ヘッド（番号が小さいほど、リアルロフト角が小さいヘッドである。）
ｃ１〜ｃ８・・・ゴルフクラブ（番号が小さいほど、リアルロフト角が小さいクラブである。）
ＬＡ・・・ランドエリア（フェース面のうち、フェースラインの無い部分）
Ｗ１・・・溝幅（フェースラインの幅）
Ｗ２・・・溝底幅（フェースラインの底面の幅）
Ｄ１・・・溝深さ（フェースラインの深さ）
【図１】
2011092468.tif 000008
【図２】
2011092468.tif 000009
【図３】
2011092468.tif 000010
【図４】
2011092468.tif 000011
【図５】
2011092468.tif 000012
【図６】
2011092468.tif 000013
【図７】
2011092468.tif 000014
【図８】
2011092468.tif 000015
【図９】
2011092468.tif 000016
【図１０】
2011092468.tif 000017